(57)【特許請求の範囲】
【請求項１】
シャッタ開口を有するシャッタ基板と、
前記シャッタ開口を開閉可能な複数の羽根と、
前記複数の羽根を支え、前記羽根を前記シャッタ開口の縁部に対して実質的に平行に駆動する複数のアームとを有し、
前記複数のアームは、シャッタ駆動機構により駆動される主アームと、前記主アームに連動して駆動される従アームとからなり、
前記複数のアームの内の隣り合う２本のアームは、一方のアームの一部が他方のアームと重なり状態に位置しており、
前記重なり状態にある前記他方のアームには、前記一方のアームに設けられている連結部の移動軌跡に対向する位置に逃げ孔が設けられており、前記主アームの駆動時には、前記連結部が前記逃げ孔内で移動し、前記羽根が前記シャッタ開口の縁部に対して実質的に平行に移動するように形成されている
ことを特徴とするフォーカルプレーンシャッタ。
【請求項２】
請求項１において、前記逃げ孔は、前記連結部が前記逃げ孔の内面に摺接するガイド孔であることを特徴とするフォーカルプレーンシャッタ。
【発明の詳細な説明】
【０００１】
【発明の属する技術分野】
本発明はフォーカルプレーンシャッタに関する。
【０００２】
【従来の技術】
従来におけるフォーカルプレーンシャッタには、回転羽根式のものと平行リンク式のものとがあり、図６及び図７に示すように平行リンク式のものでは、シャッタ基板１に開設してあるシャッタ開口１ａを複数の羽根よりなる羽根群２で開閉可能である。羽根群２はプラスチックで薄い板状に形成されたもので、スリット形成羽根２ａを含む全ての羽根２ａ〜２ｅは、主アーム３０，従アーム４０及び５０に支えられ、シャッタ開口１ａに対して平行に駆動されて、シャッタ開口１ａの上方に退避する。アーム３０，４０，５０は、シャッタ開口１ａの側部のシャッタ駆動部１ｂに複数の軸７０，８０，９０を立設して、この軸に揺動可能に軸支されている。即ち、主アーム３０は軸７０に、従アーム４０は軸８０に、従アーム５０は軸９０にそれぞれ軸支されている。
【０００３】
さらに、シャッタ基板１の背面側にシャッタ駆動機構中の駆動レバー６０が揺動可能に軸支してあり、駆動レバー６０に立設した駆動ピン６０ａは、シャッタ基板１に設けてある扇型の溝穴１ｃを貫通し、先端部が主アーム３０に設けた嵌合穴に回転不能に嵌合し、駆動レバー６０の揺動を主アーム３０に伝達する構成になっている。
【０００４】
羽根２ａは連結部３０ａ，４０ａにより、羽根２ｂは連結部３０ｂ，４０ｂにより、羽根２ｃは連結部３０ｃ，４０ｃにより、羽根２ｄは連結部３０ｄ，４０ｄによりそれぞれ主アーム３０及び従アーム４０に連結されている。また、羽根２ｅは連結部３０ｅ，５０ｅにより主アーム３０及び従アーム５０に連結されている。この複数の羽根によりシャッタ開口１ａを十分な遮光性をもって覆うために、シャッタ開口１ａを覆っている状態で羽根群２は相互に隣り合う辺で一部重なるように構成してある。主アーム３０及び従アーム４０，５０は、羽根群２がシャッタ開口１ａを閉鎖状態（図６）でも開放状態（図７）でも、いずれの時点でも相互に重なり合うことがないように構成してある。
【０００５】
シャッタの小型化のためには、羽根毎の連結部の間隔はできるだけ小さいのが望ましいので、例えば、羽根２ｂの連結部３０ｂ，４０ｂと羽根２ａの連結部３０ａ，４０ａとの間隔を小さくするために、羽根２ａの一部を連結部４０ｂから逃げるように後退させて凹部を形成し、この凹部に連結部４０ｂが位置するように形成し、アームによる羽根の開閉動作の際に連結部４０ｂの走行が妨げられることのないようにしている。
【０００６】
【発明が解決しようとする課題】
このような従来技術では、羽根２ａの一部を連結部４０ｂの走行軌跡から逃げるように後退させて凹部を形成しているので、この凹部で走行中に隣接する羽根との間に開口ができてしまい、遮光が不十分になるという重大な問題を生じる。そこで、遮光性が十分に得られるように羽根２ａの一部に凹部を設けない形状にするためには、羽根毎の連結部の間隔を十分に大きくしなければならず、長いアームを用いる必要があり、図６に示すようにシャッタ駆動部１ｂを広幅Ａにしなければならなくなる。また、シャッタの開閉動作時に羽根相互の移動を妨げないようにするためには、アーム相互の間隔も十分に取らなければならず、アームを軸支する軸の間隔も大きくなり、図７に示すように軸７０〜９０までの間隔Ｂも大になる。このために、シャッタの小型化を達成することができないという問題点があった。
そこで本発明は、シャッタの小型化及び軽量化を達成し、かつ十分な遮光性が得られるようにする。
【０００７】
【課題を解決するための手段】
本発明のフォーカルプレーンシャッタは、シャッタ開口を有するシャッタ基板と、前記シャッタ開口を開閉可能な複数の羽根と、前記複数の羽根を支え、前記羽根を前記シャッタ開口の縁部に対して実質的に平行に駆動する複数のアームとを有している。前記複数のアームは、シャッタ駆動機構により駆動される主アームと、前記主アームに連動して駆動される従アームとからなり、前記複数のアームの内の隣り合う２本のアームは、一方のアームの一部が他方のアームと重なり状態に位置しており、前記重なり状態にある前記他方のアームには、前記一方のアームに設けられている連結部の移動軌跡に対向する位置に逃げ孔が設けられており、前記主アームの駆動時には、前記連結部が前記逃げ孔内で移動し、前記羽根が前記シャッタ開口の縁部に対して実質的に平行に移動するように形成されていることを特徴としている。このようにアームを重なり状態にすることから、アームを軸支する軸の間隔を小さくでき、羽根毎の連結部の間隔も小さくできるので、シャッタの小型化及び軽量化を達成しながら、かつ十分な遮光性が得られる。
【０００８】
また、この構成により羽根の開閉時に他方のアームとの間で摺動摩擦等を生じることがない。また、前記逃げ孔は、前記連結部が前記逃げ孔の内面に摺接するガイド孔であってもよい。この構成により羽根の開閉時に羽根の他端部で振動が生じるのを抑制できる。
【０００９】
【発明の実施の形態】
本発明の実施の一形態について図面に基づいて説明する。
図１及び図２に平行リンク式のフォーカルプレーンシャッタの開放羽根ユニットを示している。閉鎖羽根ユニットについては開放羽根ユニットと実質的に同一であるので、図示を省略している。また、図６の構成と実質的に同一の個所には同一の符号を付している。前記と同様に、シャッタ基板１にシャッタ開口１ａが開設してあり、このシャッタ開口１ａを開閉可能な開放羽根である複数の羽根よりなる羽根群２が設けてある。羽根群２はプラスチックで薄い板状に形成された４枚の羽根からなるもので、３本のアーム３〜５に連結され、シャッタ開口１ａに対して平行に駆動されて、図２に示すようにシャッタ開口１ａの上方に退避する。
【００１０】
即ち、スリット形成羽根２ａは主アーム３と従アーム４に相対的に回転可能に連結部３ａと４ａで連結されている。覆い羽根２ｂは主アーム３と連結部３ｂで相対的に回転可能に連結されるとともに、図１に示した状態で従アーム４には、スリット形成羽根２ａとは対向せず、かつ覆い羽根２ｂとは対向する位置に、ガイド部４ｅが形成してある。ガイド部４ｅは透孔でも凹部でもよい。覆い羽根２ｂには羽根ピン４ｂが立設してあり、この羽根ピン４ｂはガイド部４ｅ内に摺動可能に嵌合している。ガイド部４ｅの形状は、主アーム３と従アーム４が軸７及び８を中心に揺動することによって、ガイド部４ｅ内を羽根ピン４ｂが摺動し、これにより覆い羽根２ｂがシャッタ開口１ａの縁部１ａ１に対して平行に移動するようにガイドするのに適した形状に設定されている。
【００１１】
覆い羽根２ｃは主アーム３と従アーム４に相対的に回転可能に連結部３ｃと４ｃで連結されている。覆い羽根２ｄは従アーム５と駆動レバー６に相対的に回転可能に連結部５ｄと駆動ピン６ｄで連結されている。即ち覆い羽根２ｄは従アーム５と駆動レバー６とによりシャッタ開口１ａの縁部１ａ１に対して平行に移動される。駆動レバー６は、そのパイプ部６ａをシャッタ基板１の裏面側に突出する軸７に嵌合させることにより揺動可能に軸支され、駆動レバー６に立設した駆動ピン６ｄは、シャッタ基板１に設けられ軸７を中心とする扇型の溝穴１ｃを貫通している。駆動ピン６ｄの先端部には平面部が形成してあり、この平面部が主アーム３の係合孔内に相対的に回転不能に嵌合し、駆動レバー６の揺動を主アーム３に伝達している。
【００１２】
前記の連結部５ｄについて詳細に説明する。この連結部５ｄは、覆い羽根２ｄから延伸させた一端部と従アーム５の先端部と従アーム４とが重なり状態に位置する個所に設けられている。即ち、図３に拡大断面図にて示しているように、最下位に位置する覆い羽根２ｄとその上位に位置する従アーム５とを連結ピン５ｄ１により連結し、この連結ピン５ｄ１を、最上位に位置する従アーム４に設けられている逃げ孔４ｄに貫通させる。連結ピン５ｄ１の先端にはつば部５ｄ２を形成し、連結ピン５ｄ１が逃げ孔４ｄから脱落するのを防止している。なお、シャッタ機構の厚みを薄くするためには、つば部が従アーム４の上面に対接する構造でなく、逃げ孔４ｄの内周面に摺接可能に構成してもよい。逃げ孔４ｄの形状は、主アーム３と従アーム５が軸７及び９を中心に揺動することによって、逃げ孔４ｄ内を連結ピン５ｄ１が脱落することなく移動し、しかも、他の羽根及び羽根とアームとの連結部の移動軌跡を妨げることなく覆い羽根２ｄがシャッタ開口１ａの縁部１ａ１に対して平行に移動することができるのに適した形状に設定されている。
【００１３】
このような構成であるので、スリット形成羽根２ａは、軸７，８、連結部３ａ，４ａからなる平行リンクにより平行移動する。覆い羽根２ｂは、軸７，８、連結部３ｂ、及びガイド部４ｅ内を摺動する羽根ピン４ｂからなる実質的に平行リンクと同様に作用する構成により平行移動する。覆い羽根２ｃは、軸７，８、連結部３ｃ，４ｃからなる平行リンクにより平行移動する。覆い羽根２ｄは、軸７，９、連結部６ｄ，５ｄからなる平行リンクにより平行移動して、図２のようにシャッタ開口１ａの上方に退避する。この退避状態に至る間に、連結ピン５ｄ１は、逃げ孔４ｄ内を一方の端部から他方の端部まで移動し、従アーム５は、従アーム４を軸支する軸８を避けて従アーム４の下に位置する所まで移動する。
【００１４】
従アーム４と従アーム５とをこのような位置関係にし、覆い羽根２ｄを連結部５ｄで従アーム５に連結することで、羽根群２がシャッタ開口１ａを閉鎖した図１の状態で、両アーム４と５が互に隣接するまでに接近させることができ、このために軸７から軸９までの間隔Ｃを、図７の従来の間隔Ｂに比して小さくすることができる。また、シャッタ開口１ａを開放した図２の状態では、従アーム５は軸８を避けて従アーム４の下に重なるように位置させることができ、このためにシャッタ駆動部１ｂの幅を図６の従来の広幅Ａに比して狭幅Ｄに形成できる。
【００１５】
従アーム５は、覆い羽根２ｄの長さに比べて極めて短いものであるので、主アーム３の駆動時に羽根２が高速で開閉動作をした際に、覆い羽根２ｄにおいて、従アーム５との連結部５ｄから遠い側の他端部で、シャッタ開口１ａの面方向に振動が起こりやすい。このような振動が起こると遮光性に問題が生じるので、振動が起こらないようにすることが望ましい。そこで逃げ孔４ｄを、その内面の少なくとも一方の面を連結ピン５ｄ１が摺接しつつ移動できるように、逃げ孔４ｄがガイド孔として機能する構成にするとよい。連結ピン５ｄ１がこのガイド孔４ｄの一方の内面に摺接しつつ移動することにより、覆いばね２ｄの他端部が面方向に振動しようとするのを防止できる。
【００１６】
図４及び５は実施の他の形態を示している。これはシャッタ駆動部１ｂを狭幅Ｄとすることを実現するもので、前記の例における従アーム４に逃げ孔を設けることなく、従アーム５を従アーム４に重なるように構成したものである。即ち、連結部１５ｄは、覆い羽根２ｄから延伸させた一端部と従アーム５の先端部と従アーム４とが重なり状態に位置する個所に設けている。図５に拡大断面図にて示しているように、最下位に従アーム５が位置し、その上位に位置する覆い羽根２ｄとを連結ピン１５ｄ１を用いて連結している。連結ピン１５ｄ１のつば部１５ｄ２は従アーム５の下面に対接している。覆い羽根２ｄの上に、覆い羽根２ｃと従アーム４とが近接して重なり状態で位置している。従アーム５と覆い羽根２ｄとの連結部１５ｄの位置は、主アーム３と従アーム５が軸７及び９を中心に揺動することによって連結部１５ｄが移動する際に、他の羽根及び羽根とアームとの連結部の移動軌跡を妨げることなく覆い羽根２ｄがシャッタ開口１ａの縁部１ａ１に対して平行に移動することができる位置に設定されている。したがって、図４に示すように、従アーム５は従アーム４を軸支する軸８を避けて従アーム４の下に位置する所まで移動するので、図２の場合と同様にシャッタ駆動部１ｂの幅を図６の従来の広幅Ａに比して狭幅Ｄに形成できる。この構成以外は、実質的に前記の例における構成と同じであり、同一の符号を付している。
【００１７】
【発明の効果】
このように本発明のフォーカルプレーンシャッタは、アームを重なり状態にすることから、アームを軸支する軸の間隔を小さくでき、羽根毎の連結部の間隔も小さくできるので、シャッタの小型化及び軽量化を達成しながら、かつ十分な遮光性が得られる。主アームの駆動時に、連結部が逃げ孔内で移動するようにしているので、羽根の開閉時に他方のアームとの間で摺動摩擦等を生じることがない。また、逃げ孔は、連結部が逃げ孔の内面に摺接するガイド孔として構成してもよく、この構成により羽根の開閉時に羽根の他端部で振動が生じるのを抑制できる。
【図面の簡単な説明】
【図１】本発明の実施の一形態を示すもので、開放羽根群がシャッタ開口を覆っている状態を示す正面図である。
【図２】同上、開放羽根群がシャッタ開口から退避した状態を示す正面図である。
【図３】図１の一部の拡大断面図である。
【図４】本発明の実施の他の形態を示すもので、開放羽根群がシャッタ開口から退避した状態を示す正面図である。
【図５】図４の一部の拡大断面図である。
【図６】従来の構成を示し、開放羽根群がシャッタ開口を覆っている状態を示す正面図である。
【図７】同上、開放羽根群がシャッタ開口から退避した状態を示す正面図である。
【符号の説明】
１            シャッタ基板
１ａ          シャッタ開口
１ａ１        シャッタ開口の縁部
２            羽根
３            主アーム
４，５        従アーム
４ｄ          逃げ孔（ガイド孔）
５ｄ，１５ｄ  連結部
【図１】
0003990164.tif 000002
【図２】
0003990164.tif 000003
【図３】
0003990164.tif 000004
【図４】
0003990164.tif 000005
【図５】
0003990164.tif 000006
【図６】
0003990164.tif 000007
【図７】
0003990164.tif 000008